(57)【要約】【課題】本発明は、ホイストプラットホーム及びコンテナユニットを提供する。【解決手段】ホイストプラットホーム１０は、コンテナ２０の吊り上げに用いられ、一対の横桁及び一対の縦桁を含み、前記横桁及び縦桁によりフレーム構造を囲み、前記縦桁は背合わせした第一側１４及び第二側１５を有し、各前記縦桁の第一側１４には、少なくとも一対の第一隅金具が設置され、前記少なくとも一対の第一隅金具の位置は、少なくとも一つの吊り上げ待ちの前記コンテナ２０の隅金具の位置と対応し、各前記縦桁の第二側１５には、一対の第二隅金具１３２が設置され、前記一対の第二隅金具１３２は、標準サイズのコンテナの隅金具の位置と対応する。ホイストプラットホーム１０は、少なくとも一つのコンテナ２０と組み合わせてコンテナユニット１を構成し、クレーンを利用してコンテナユニット１を吊り上げることが可能で、ホイスト効率が向上できる。【選択図】図５
2014136607.tif 000002
【特許請求の範囲】
【請求項１】
コンテナの吊り上げに用いられるホイストプラットホームであって、
一対の横桁及び一対の縦桁を含み、
前記横桁及び縦桁は、フレーム構造を囲み、
前記縦桁は、背合わせした第一側と第二側とを有し、
各前記縦桁の第一側には、少なくとも一対の第一隅金具が設けられ、前記少なくとも一対の第一隅金具の位置は、少なくとも一つの吊り上げ待ちの前記コンテナの隅金具の位置と対応し、
各前記縦桁の第二側には、一対の第二隅金具が設けられ、前記一対の第二隅金具は、標準寸法のコンテナの隅金具の位置と対応することを特徴とするホイストプラットホーム。
【請求項２】
前記ホイストプラットホームは、吊り上げ待ちの前記コンテナと前記フレーム構造とを接続する接続装置を更に含むことを特徴とする請求項１に記載のホイストプラットホーム。
【請求項３】
前記接続装置は、吊り上げ待ちのコンテナの隅金具と、前記縦桁における対応する隅金具とを接続する自動ロック又は半自動ロックであることを特徴とする請求項２に記載のホイストプラットホーム。
【請求項４】
各前記縦桁の第一側には、二対の第一隅金具が設けられていることを特徴とする請求項１に記載のホイストプラットホーム。
【請求項５】
各前記縦桁の第二側の両端には、夫々第三隅金具が設けられていることを特徴とする請求項１に記載のホイストプラットホーム。
【請求項６】
各前記縦桁の第一側には、更に一対の第四隅金具が設けられ、前記第四隅金具は標準のコンテナの隅金具の位置と対応することを特徴とする請求項１に記載のホイストプラットホーム。
【請求項７】
二つの請求項１乃至６の何れか一項に記載のホイストプラットホームと、少なくとも一つのコンテナとを含み、
前記コンテナは、二つのホイストプラットホームの間に位置され、且つ前記二つのホイストプラットホームの第一側は、何れも前記コンテナを向かい、
前記第一隅金具は、前記コンテナにおける隅金具と対応することを特徴とするコンテナユニット。
【請求項８】
前記コンテナは複数であって、且つ前記ホイストプラットホームの縦方向に沿って一列に配列されていることを特徴とする請求項７に記載のコンテナユニット。
【請求項９】
前記コンテナは、上下に積み重ねた複数のコンテナであって、且つ上下に積み重ねたコンテナは互いに接続されていることを特徴とする請求項７に記載のコンテナユニット。
【請求項１０】
前記コンテナは、標準寸法のコンテナ又は非標準寸法のコンテナであることを特徴とする請求項７に記載のコンテナユニット。
【発明の詳細な説明】
【技術分野】
【０００１】
本発明は、コンテナをホイストする（リフティング）装置に関し、特にコンテナのホイストプラットホームに関する。
【背景技術】
【０００２】
通常、コンテナは、箱体の隅部に設置された四つのトップ隅金具と四つの底隅金具を通じて、コンテナの積み重ね及び吊り運搬を実現する。通常、コンテナのクレーンは、標準の隅金具の位置に従って設計したものであり、吊り具は一つのコンテナのみを吊り上げることができ、そのホイスト効率が低い。特に非標準寸法のコンテナにとって、その隅金具の位置が標準の隅金具の位置と異なるため、非標準寸法のコンテナを運搬する際には標準の吊り具を用いて吊り上げることができず、通常、標準の吊り具とマッチングするように非標準寸法のコンテナに別途の隅金具を設置する必要があり、又は専用の吊り具を用いる必要があった。これにより、吊り運搬が比較的に不便になった。なお、非標準寸法のコンテナの吊り上げが不便であるため、積む際に、平らに並べるしかなく、積み重ねることができず、大量の空間が無駄になる。
【発明の概要】
【発明が解決しようとする課題】
【０００３】
本発明は、コンテナの吊り上げ及び積みが便利である、ホイストプラットホーム及びコンテナユニットの提供をその目的とする。
【課題を解決するための手段】
【０００４】
本発明は、コンテナの吊り上げに用いられるホイストプラットホームを提供し、一対の横桁及び一対の縦桁を含み、前記横桁と縦桁とはフレーム構造を囲み、前記縦桁は背合わせした第一側及び第二側を有し、各前記縦桁の第一側には少なくとも一対の第一隅金具が設けられ、前記少なくとも一対の第一隅金具の位置は、少なくとも一つの吊り上げ待ちの前記コンテナの隅金具の位置と対応し、各前記縦桁の第二側に一対の第二隅金具が設けられ、前記一対の第二隅金具は標準寸法のコンテナの隅金具の位置と対応する。
【０００５】
本発明にあっては、前記ホイストプラットホームは、吊り上げ待ちの前記コンテナと前記フレーム構造とを接続する接続装置を更に含む。
【０００６】
本発明にあっては、前記接続装置は、吊り上げ待ちのコンテナの隅金具と前記縦桁における対応する隅金具とを接続する自動ロック又は半自動ロックである。
【０００７】
本発明にあっては、各前記縦桁の第一側に、二対の第一隅金具が設けられている。
本発明にあっては、各前記縦桁の第二側の両端には、夫々第三隅金具が設けられている。
【０００８】
本発明にあっては、各前記縦桁の第一側には、更に一対の第四隅金具が設けられ、前記第四隅金具は標準のコンテナの隅金具の位置と対応する。
【０００９】
本発明は、コンテナユニットを更に提供し、二つの前記ホイストプラットホーム及び少なくとも一つのコンテナを含み、前記コンテナは、二つのホイストプラットホームの間に位置され、且つ前記二つのホイストプラットホームの第一側は何れも前記コンテナを向かえ、前記第一隅金具は前記コンテナにおける隅金具と対応する。
【００１０】
本発明にあっては、前記コンテナは複数であり、且つ前記ホイストプラットホームの縦方向に沿って一列に配列されている。
本発明にあっては、前記コンテナは、上下に積み重ねた複数のコンテナであり、且つ上下に積み重ねたコンテナは互いに接続されている。
本発明にあっては、前記コンテナは標準寸法のコンテナ又は非標準寸法のコンテナである。
【発明の効果】
【００１１】
本発明の優れた効果として、本発明のホイストプラットホームは少なくとも一つのコンテナと組み立ててコンテナユニットを構成することができ、クレーンを用いてコンテナユニットを直接に吊り上げることができ、ホイスト効率（吊り上げ効率）を向上することができる。
【００１２】
なお、ホイストプラットホームにおける隅金具の位置を変えることにより、非標準寸法のコンテナの接続に適用することができ、複数の非標準寸法のコンテナを上下の二つのホイストプラットホームの間に設置することにより、コンテナユニットを構成し、通用のクレーンに適用することができる。これによって、吊り上げ、積みが便利になり、且つ一回に複数のコンテナを吊り上げることができ、吊り上げ・運搬効率を向上させることができる。なお、ホイストプラットホームの隅金具は、多種類のコンテナの隅金具に対応することができるため、多種類の非標準寸法のコンテナに適用することができ、非標準コンテナを運搬した後、ホイストプラットホームを互いに積み重ねて一緒に運び戻すことができ、ホイストプラットホームを繰り返して使用することができる。
【図面の簡単な説明】
【００１３】
【図１】本発明の実施の形態１に係るホイストプラットホームの正面図である。
【図２】本発明の実施の形態１に係るホイストプラットホームの平面図である。
【図３】本発明の実施の形態１に係るホイストプラットホームの底面図である。
【図４】ホイストプラットホームの第一隅金具の概略図である。
【図５】本発明に係るコンテナユニットの正面図である。
【図６】本発明に係るコンテナユニットの側面図である。
【図７】図５におけるＡ部の拡大図である。
【図８】本発明の実施の形態２に係るホイストプラットホームの正面図である。
【図９】実施の形態２に係るホイストプラットホームを有するコンテナユニットの正面図である。
【図１０】本発明の実施の形態３に係るホイストプラットホームの正面図である。
【図１１】本発明の実施の形態３に係るホイストプラットホームの平面図である。
【発明を実施するための形態】
【００１４】
以下、図面を合わせて本発明の具体的な実施形態について詳しく説明する。ここで説明する具体的な実施形態は本発明の説明及び解釈のみに用いられ、本発明を制限するためのものではないことを理解すべきである。
【００１５】
（実施の形態１）
図１ないし図３に示すように、本発明の実施の形態１に係るホイストプラットホーム１０には、一対の横桁１１及び一対の縦桁１２を含む。一対の横桁１１及び一対の縦桁１２は、例えば本実施の形態における「工」字鋼であり、溝形鋼又は角鋼であっても良く、それらは直接に溶接されて矩形のフレームを囲む。縦桁１２は、背合わせする第一側１４（即ち、図１における上側）及び第二側１５（即ち、図１における下側）を有し、各縦桁１２の第一側１４には、少なくとも一対の隅金具１３１が設けられ、隅金具１３１は、ホイスト待ちのコンテナの隅金具の位置と対応し、例えば図２に示したように、各縦桁１２の第一側１４には、二対の隅金具１３１が設けられている。各縦桁１２の第二側１５には、一対の隅金具１３２が設けられ、隅金具１３２は標準寸法のコンテナの隅金具の位置と対応する（即ち、隅金具１３２の設置はＩＳＯ基準中心距離の規定を満たす）。横桁１１及び縦桁１２には、複数のノッチ（未図示）が設けられ、隅金具１３１、１３２は、ノッチの中に溶接且つ固定されている。本実施の形態において、各隅金具１３１、１３２は、何れも六面体の隅金具であり、図４に示すように、隅金具１３１、１３２の上面、端面、及び側面には、夫々トップホールＨ１、端面ホールＨ２、及びサイドホールＨ３が設けられている。トップホールＨ１に接続装置１６を設置して、コンテナの隅金具と接続させることができる。ホイストプラットホームの隅金具は、コンテナの隅金具の構造と同じであるため、ここで繰り返し説明を省略する。もちろん、既存の他の類型の隅金具を用いることも可能である。
【００１６】
組み立てる際に、図５、図６、図７に示すように、まず、当該ホイストプラットホーム１０の第一側１４が上を向かうように、第一のホイストプラットホーム１０を平らに置き、トップホールＨ１に接続装置１６を設置する。接続装置１６は、例えば既存の自動ロック又は半自動ロック（既存の自動ロック又は半自動ロックの構造、操作方式と同じであるため、繰り返し説明を省略する）である。少なくとも一台のホイスト待ちのコンテナ２０を、第一のホイストプラットホーム１０に置き、本実施の形態において、二台のホイスト待ちのコンテナ２０を置き、実際にホイストプラットホーム１０の長さに従い、ホイストプラットホーム１０の縦方向に沿って二台以上のコンテナを設置し、又はホイストプラットホーム１０に少なくとも一層のコンテナを積み重ね、且つ第一側１４における隅金具１３１は、コンテナ２０の底隅金具２１の位置と対応し、両者は接続装置１６を通じて接続され、これによってコンテナ２０とその底部に位置する第一のホイストプラットホーム１０とをロックする。第二のホイストプラットホーム１０をコンテナ２０の上部に置き、第一側１４を下に向かえさせ、第一側１４における隅金具１３１はコンテナ２０のトップ隅金具２２の位置と対応し、且つ接続装置１６を通じて接続させて、コンテナ２０とその上部における第二のホイストプラットホーム１０とをロックする。上記の方式を通じて、二つのホイストプラットホームとコンテナとを組み立てて、一つのコンテナユニット１を形成する。当該コンテナユニット１の上面及び底面（即ちホイストプラットホーム１０の第二側１５）には、何れも標準位置における隅金具１３が設置されて、通用のクレーンと配合して、コンテナ全体の吊り上げ、積みの便利を図ることができる。
【００１７】
（実施の形態２）
図８、図９に示すように、本発明の実施の形態２に係るホイストプラットホームは、実施の形態１に比べて、主に以下の点で異なる。本実施の形態に係るホイストプラットホーム１０の第二側１５のコーナー部には、夫々隅金具１３３が更に設けられており、当該隅金具１３３の構造及び設置は、ホイストプラットホームの他の隅金具と同じである。複数のコンテナユニット１を積み重ねる際に、接続装置１６を通じて、隣り合う二組のコンテナユニットの第二側１５のコーナー部における隅金具１３３をロックする。ホイストプラットホームの他の部位における隅金具とのロックに比べて、コーナー部における隅金具１３３のロックが比較的に便利であるため、本実施の形態ではロックの便利性を向上することができる。なお、非標準寸法のコンテナを運搬した後、ホイストプラットホームを互いに積み重ねることができ、且つ接続装置を通じて複数の積み重ねたホイストプラットホームの隣り合う側の隅金具をロックすることができる。例えば、第一層のホイストプラットホームの第一側１４のコーナー部における隅金具１３１は、第二層のホイストプラットホームの第一側１４のコーナー部における隅金具１３１とロックし、第二層のホイストプラットホームの第二側１５のコーナー部における隅金具１３３は、第三層のホイストプラットホームの第二側１５のコーナー部における隅金具１３３とロックし、このように、多層のホイストプラットホームを積み重ねてロックすることができ、これによって複数のホイストプラットホーム自体の運搬及び吊り上げが便利になる。
【００１８】
（実施の形態３）
図１０、１１に示すように、本発明の実施の形態３に係るホイストプラットホームは、実施の形態１に比べて、主に以下の点で異なる。本実施の形態に係るホイストプラットホーム１０の第一側１４の標準寸法のコンテナの隅金具に対応する位置において、更に四つの隅金具１３４が設けられている。当該隅金具１３４の構造は、ホイストプラットホームの他の隅金具と同じである。ホイストプラットホーム１０の第一側１４及び第二側１５の何れにも標準寸法コンテナの隅金具の位置に対応する隅金具が設けられているため、標準寸法コンテナの隅金具と対応する隅金具を有する一側をクレーンに向かえさせるように、ホイストプラットホームをひっくり返す必要がない。非標準寸法のコンテナを運搬した後、ホイストプラットホームを互い積み重ねることができ、クレーンと隅金具１３２又は隅金具１３４との配合によって、積み重ねたホイストプラットホームを一緒に吊り上げることができ、これによって吊り上げが便利になり、運搬効率を向上することができる。
【００１９】
本実施の形態に係る隅金具１３４は実施の形態２にも応用できることを理解すべきである。
本発明では、上下の二つのホイストプラットホームの間に、二つのコンテナを設置した例を挙げたものの、ホイストプラットホームの長さに従って、コンテナの数量を変更することができる。
【００２０】
本発明に係るホイストプラットホームは、少なくとも一つのコンテナと組み立ててコンテナユニットを構成することができ、クレーンを用いてコンテナユニットを直接に吊り上げることができ、吊り上げ効率を向上することができる。
【００２１】
なお、ホイストプラットホームの隅金具の位置を変えることにより、これを非標準寸法のコンテナに適用することができる。即ち、ホイストプラットホームの第一側に非標準寸法のコンテナの隅金具の位置と対応する隅金具を設置することにより、非標準寸法のコンテナのトップ隅金具及び底隅金具と配合し、且つ第二側に標準寸法のコンテナの隅金具の位置と対応する隅金具を設置することにより、通用のクレーンと配合する。これによって、複数の非標準寸法のコンテナを上下の二つのホイストプラットホームの間に設置して、コンテナユニットを構成し、通用のクレーンに適用することができて、吊り上げ、及び積みを便利に行うことができる。なお、一回に複数のコンテナを吊り上げることができ、吊り上げ・運搬効率を向上することができる。なお、ホイストプラットホームの隅金具は、多種類のコンテナの隅金具に対応することができて、多種類の非標準寸法のコンテナに適用することができ、非標準寸法のコンテナを運搬した後、ホイストプラットホームを互いに積み重ねて一緒に運び戻すことができ、ホイストプラットホームを繰り返して使用することができる。
【００２２】
本発明に係る各種の異なる実施形態の間には、互いに任意に組み合わせることができ、本発明の思想を反しない限り、同様に本発明の公開した内容と見なすべきである。
【図１】
2014136607.tif 000003
【図２】
2014136607.tif 000004
【図３】
2014136607.tif 000005
【図４】
2014136607.tif 000006
【図５】
2014136607.tif 000007
【図６】
2014136607.tif 000008
【図７】
2014136607.tif 000009
【図８】
2014136607.tif 000010
【図９】
2014136607.tif 000011
【図１０】
2014136607.tif 000012
【図１１】
2014136607.tif 000013